(57)【要約】      （修正有）【課題】消毒液を正しく噴霧することができる足踏み式の消毒液噴霧装置を提供する。【解決手段】消毒液噴霧装置は、中空状の支柱２の上部に取り付けられたトレイ３と、トレイ３上に所定間隔を存して対向するように設置された一対の支持部材４と、一対の支持部材４に昇降可能に支持された門形の押圧体５と、支柱２を支持する台座部２ａの近傍に設置された足踏みペダル６と、支柱２の内部を挿通して押圧体５と足踏みペダル６を連結するワイヤとを備えている。消毒液容器１を一対の支持部材４で挟まれたトレイ３上に載置し、この状態で使用者が足踏みペダル６を踏み込むと、ワイヤを介して押圧体５に下向きの力が加わることにより、押圧体５が消毒液容器１の昇降ヘッド９を押し下げて噴射ノズル９ａから消毒液を噴射することができる。【選択図】図１
0003230192.tif 000002
【実用新案登録請求の範囲】
【請求項１】
消毒液を内蔵するボトル本体と、上方へ弾性付勢された噴射ノズル付きの昇降ヘッドと、前記昇降ヘッドを前記ボトル本体の上部開口部に取り付けるキャップと、を有する消毒液容器に装着して使用される消毒液噴霧装置であって、
台座部を有する中空状の支柱と、
前記支柱の上部に取り付けられたトレイと、
前記トレイ上に所定間隔を存して対向するように設置された一対の支持部材と、
前記一対の支持部材に昇降可能に支持された門形の押圧体と、
前記支柱の下部に配置された足踏みペダルと、
前記支柱の内部を挿通して前記押圧体と前記足踏みペダルを連結するワイヤと、
を備え、
前記消毒液容器は一対の前記支持部材で挟まれた前記トレイ上に載置され、前記昇降ヘッドが前記押圧体の真下に配置されることを特徴とする消毒液噴霧装置。
【請求項２】
請求項１に記載の消毒液噴霧装置において、
前記支持部材から上方に突出する前記押圧体の突出量が規定されていると共に、前記押圧体がスプリングによって常時上方へ弾性付勢されていることを特徴とする消毒液噴霧装置。
【請求項３】
請求項１または２に記載の消毒液噴霧装置において、
前記押圧体が中空パイプからなり、前記ワイヤが前記中空パイプを挿通して前記支持部材の外部に導出されていることを特徴とする消毒液噴霧装置。
【請求項４】
請求項１〜３のいずれか１項に記載の消毒液噴霧装置において、
前記支持部材に照明部が設けられており、前記足踏みペダルの踏み込み操作に連動して前記照明部が点灯動作されることを特徴とする消毒液噴霧装置。
【請求項５】
請求項４に記載の消毒液噴霧装置において、
前記照明部の点滅を切り替えるスイッチが前記ワイヤの移動によって動作されることを特徴とする消毒液噴霧装置。
【請求項６】
請求項１〜５のいずれか１項に記載の消毒液噴霧装置において、
前記足踏みペダルの踏み込み力を緩和するダンパー手段をさらに備えていることを特徴とする消毒液噴霧装置。
【請求項７】
請求項１〜６のいずれか１項に記載の消毒液噴霧装置において、
前記トレイに仕切り板が立設されており、前記仕切り板によって区画された２つの領域に、前記一対の支持部材と前記押圧体を１組とするユニットがそれぞれ搭載されていると共に、これら各ユニットに対応する２組の前記ワイヤと前記足踏みペダルを備えていることを特徴とする消毒液噴霧装置。
【考案の詳細な説明】
【技術分野】
【０００１】
本考案は、ポンプ式の消毒液容器に装着して使用される足踏み式の消毒液噴霧装置に関する。
【背景技術】
【０００２】
新型コロナウイルス等のウイルスによる感染症を予防するために、病院や飲食店やオフィス等にポンプ式の消毒液容器を設置することが多くなっている。ポンプ式の消毒液容器は、消毒液を内蔵するボトル本体と、上方へ弾性付勢された噴射ノズル付きの昇降ヘッドと、昇降ヘッドをボトル本体の上部開口部に取り付けるキャップとを有し、昇降ヘッドを手で押圧することによって消毒液を噴霧するように構成されている。このような構成の消毒液容器においては、不特定多数の人が昇降ヘッドに手を触れる可能性があり、昇降ヘッドにウイルスが付着してしまう虞があるため、昇降ヘッドに手を触れることなく消毒液を噴霧できるようにした足踏み式の消毒液噴霧装置が種々提案されている。
【０００３】
例えば、特許文献１には、自立性のある支柱の上部に着脱可能に取り付けられたトレイと、トレイに載置された消毒液容器の昇降ヘッドを押圧操作するための押圧体と、支柱の下部に配設された足踏みペダルと、足踏みペダルに加えられる踏み込み動作を押圧体の押し込み動作に変換する動力変換機構と、を備えた消毒液噴霧装置が開示されている。ここで、押圧体は、昇降ヘッドの頂部を押圧する天壁と、昇降ヘッドの前後左右方向への移動を規制する４つの規制壁とを有しており、そのうちの１つの規制壁に噴射ノズルを挿通させるための開口が設けられている。また、動力変換機構は、押圧体の天壁に設けられたブラケットに連結された回動アームと、足踏みペダルの踏み込み動作に伴って回動する下部リンク要素と、この下部リンク要素の動きを回動アームに伝達する中間リンク要素とで構成されている。
【０００４】
このように構成された消毒液噴霧装置では、使用者が足踏みペダルを踏み込むと、その踏み込み動作が下部リンク要素と中間リンク要素を介して回動アームに伝達され、それに伴って回動アームが回動して押圧体を押し下げるため、昇降ヘッドが押圧されて消毒液を噴霧することができる。したがって、使用者は、消毒液容器の昇降ヘッドに直接手を触れることなく、衛生的に手を消毒することができる。
【０００５】
【特許文献１】特開２０１１−１１０２５２号公報
【考案の概要】
【考案が解決しようとする課題】
【０００６】
特許文献１に記載された消毒液噴霧装置では、トレイ上に載置した消毒液容器の昇降ヘッドに箱型の押圧体を被せた状態で足踏みペダルを踏み込み操作すると、その踏み込み動作が動力変換機構である回動アームの回転運動を介して押圧体に伝達されるため、押圧体の４つの規制壁が昇降ヘッドに対して隙間なく緊密に取り付けられていれば、押圧体によって昇降ヘッドをスムーズに押し下げることができる。しかしながら、消毒液容器に備えられる昇降ヘッドの大きさや形状は必ずしも全て同じであるとは限らず、押圧体はある程度余裕を持った大きさに形成しておく必要があるため、小さ目の昇降ヘッドを備えた消毒液容器を使用する場合に、昇降ヘッドが押圧体の中心から偏倚した位置に設置されてしまうことがある。その場合、押圧体からの押圧力が昇降ヘッドに対して斜め方向に作用するため、昇降ヘッドを真っ直ぐに押し下げることができなくなり、消毒液の正常な噴霧動作が阻害されてしまうことになる。
【０００７】
本考案は、このような従来技術の実情に鑑みてなされたもので、その目的は、消毒液を正しく噴霧することができる足踏み式の消毒液噴霧装置を提供することにある。
【課題を解決するための手段】
【０００８】
上記の目的を達成するために、本考案の消毒液噴霧装置は、消毒液を内蔵するボトル本体と、上方へ弾性付勢された噴射ノズル付きの昇降ヘッドと、前記昇降ヘッドを前記ボトル本体の上部開口部に取り付けるキャップと、を有する消毒液容器に装着して使用される消毒液噴霧装置であって、台座部を有する中空状の支柱と、前記支柱の上部に取り付けられたトレイと、前記トレイ上に所定間隔を存して対向するように設置された一対の支持部材と、前記一対の支持部材に昇降可能に支持された門形の押圧体と、前記支柱の下部に配置された足踏みペダルと、前記支柱の内部を挿通して前記押圧体と前記足踏みペダルを連結するワイヤと、を備え、前記消毒液容器は一対の前記支持部材で挟まれた前記トレイ上に載置され、前記昇降ヘッドが前記押圧体の真下に配置されることを特徴としている。
【０００９】
このように構成された消毒液噴霧装置では、トレイ上に設置された一対の支持部材間に跨るように門形の押圧体が昇降可能に支持されており、このトレイ上に消毒液容器を載置して昇降ヘッドを押圧体の真下に位置させた状態で、使用者が足踏みペダルを踏み込むと、押圧体がワイヤに引っ張られて昇降ヘッドを押し下げるため、昇降ヘッドに直接手を触れることなく消毒液を噴霧することができる。その際、昇降ヘッドはワイヤに引っ張られた門形（逆凹状）の押圧体によって押し下げられるため、消毒液容器の外形サイズや昇降ヘッドの形状等が相違する種々の消毒液容器を使用しても、消毒液を正しく噴霧することができる。また、トレイ上の支持部材から導出するワイヤを中空状の支柱に挿通させることにより、押圧体と足踏みペダルを連結することができるため、わざわざ専用の台座部付きの支柱を製造しなくても、ベルト式パーテーション等として広く流通しているガイドポールを台座部付きの支柱として活用することができる。
【００１０】
上記構成の消毒液噴霧装置において、支持部材から上方に突出する押圧体の突出量が規定されていると共に、押圧体がスプリングによって常時上方へ弾性付勢されていると、消毒液噴霧装置の非使用状態において、消毒液容器の昇降ヘッドを押圧体の真下位置に容易に配置することができる。
【００１１】
また、上記構成の消毒液噴霧装置において、中実構造の押圧体の両端部にワイヤを固着するようにしても良いが、押圧体が中空パイプからなり、この中空パイプをワイヤが挿通して支持部材の外部に導出されていると、押圧体にワイヤを簡単かつ確実に連結することができて好ましい。
【００１２】
また、上記構成の消毒液噴霧装置において、支持部材にＬＥＤ等からなる照明部が設けられており、足踏みペダルの踏み込み操作に連動して照明部が点灯動作されるようになっていると、消毒液が噴霧されたことを視覚的に認識することができて好ましい。
【００１３】
この場合において、照明部の点滅を切り替えるスイッチがワイヤの移動によって動作されるようになっていると、スイッチを支持部材または足踏みペダルに内蔵することにより、照明部の点滅用回路を容易に実現することができる。
【００１４】
また、上記構成の消毒液噴霧装置において、足踏みペダルの踏み込み力を緩和するダンパー手段をさらに備えていると、消毒液が勢い良く噴霧されてしまうことを防止できる。
【００１５】
また、上記構成の消毒液噴霧装置において、トレイに仕切り板が立設されており、この仕切り板によって区画された２つの領域に、一対の支持部材と押圧体を１組とするユニットがそれぞれ搭載されていると共に、これら各ユニットに対応する２組のワイヤと足踏みペダルを備えていると、飲食店やオフィスの出入口等に設置することにより、トレイ上の２つの消毒液容器を入退出する使用者の動線上に振り分けて設置することができる。
【図面の簡単な説明】
【００１６】
【図１】本考案の第１実施形態に係る消毒液噴霧装置を示す斜視図である。
【図２】該消毒液噴霧装置の要部を示す部分断面図である。
【図３】該消毒液噴霧装置に備えられる足踏みペダルの説明図である。
【図４】該消毒液噴霧装置に備えられるＬＥＤの点滅回路を示す説明図である。
【図５】本考案の第２実施形態に係る消毒液噴霧装置を示す斜視図である。
【図６】足踏みペダルの変形例を示す説明図である。
【図７】ワイヤの移動距離を増加させる機構を示す説明図である。
【考案を実施するための形態】
【００１７】
以下、考案の実施の形態について図面を参照しながら説明すると、図１は本考案の実施形態に係る消毒液噴霧装置を示す斜視図、図２は該消毒液噴霧装置の平面図、図３は消毒液噴霧装置の要部を示す部分断面図、図４は該消毒液噴霧装置に備えられる足踏みペダルの説明図である。
【００１８】
図１と図２に示すように、第１実施形態に係る消毒液噴霧装置は、使用対象物となる消毒液容器１と、台座部２ａに支持されて上下方向に延びる中空状の支柱２と、支柱２の上部に取り付けられたトレイ３と、トレイ３上に所定間隔を存して対向するように設置された一対の支持部材４と、一対の支持部材４に昇降可能に支持された門形の押圧体５と、支柱２の下部に配置された足踏みペダル６と、前記支柱２の内部を挿通して押圧体５と足踏みペダル６を連結するワイヤ７とを備えている。
【００１９】
消毒液容器１は、アルコール等の消毒液が収納されたボトル本体８と、噴射ノズル９ａを有する昇降ヘッド９と、昇降ヘッド９をボトル本体８の上部開口部に取り付けるキャップ１０とを備えており、昇降ヘッド９はキャップ１０に内蔵されたスプリング（図示せず）のばね力によって上方へ弾性付勢されている。この消毒液容器は、トレイ３上における一対の支持部材４で挟まれた部分にボトル本体８が載置され、押圧体５の真下に昇降ヘッド９が配置される。
【００２０】
台座部２ａ付きの支柱２は、病院や飲食店やオフィス等の所定箇所（例えば出入口）に設置され、台座部２ａによって床面上に安定的に支持されている。台座部２ａ付きの支柱２は、ベルト式パーテーション等として広く流通しているガイドポールであり、支柱２の上部には図示せぬベルトを装着するためのスリット２ｂが設けられている（図２参照）。
【００２１】
トレイ３は金属板等からなる平坦状の部材であり、その下面にブラケット１１が一体的に設けられている。トレイ３は、ブラケット１１を支柱２の上端部に嵌合・固定することにより、支柱２の上端部に水平な姿勢で保持されている。
【００２２】
一対の支持部材４はトレイ３上に所定間隔を存して対向配置されており、図示せぬ止めネジをブラケット１１とトレイ３を貫通して支持部材４に螺合することにより、これら支持部材４はトレイ３上に強固に固定されている。また、支持部材４の外周面にはＬＥＤ等からなる照明部１２が設けられており、後述するように、照明部１２は足踏みペダル６の踏み込み操作に連動して点灯するようになっている。
【００２３】
押圧体５は、中空パイプを門形にフォーミングした部材からなり、上下方向に延びる一対の摺動部５ａと、両摺動部５ａの上端部を繋いで水平方向に延びる押圧部５ｂとを有している。図２に示すように、押圧体５の両摺動部５ａは、対応する支持部材４に設けられたガイド孔４ａに昇降可能に挿入されており、下端部に取着されたストッパ５ｃによって支持部材４からの脱落が防止されている。
【００２４】
支持部材４から突出する両摺動部５ａの任意位置に係止リング１３が取着されており、係止リング１３と支持部材４との間にスプリング１４が介設されている。このスプリング１４のばね力により、押圧体５は常時上方へ弾性付勢されているため、消毒液噴霧装置の非使用状態において、押圧体５の押圧部５ｂは昇降ヘッド９の上方の離間位置に保持されている。ただし、このようなスプリング１４を省略しても良く、その場合、押圧体５には自重による下向きの力が常時作用するため、消毒液噴霧装置の非使用状態において、押圧体５の押圧部５ｂは昇降ヘッド９の天面に当接した状態に維持される。
【００２５】
ワイヤ７は、ステンレスワイヤ等の導電性を有する材料からなり、押圧体５に挿通されて両摺動部５ａの下端部から支持部材４の外部に導出している。両摺動部５ａからブラケット１１の下方に導出された２本のワイヤ７は、支柱２のスリット２ｂ内で一纏めに集約された後、絶縁性の筒状ケーブル７Ａに被覆された状態で支柱２内を挿通して足踏みペダル６に連結されている。
【００２６】
足踏みペダル６は台座部２ａの内部に収納されており、台座部２ａの外表面には、足踏みペダル６を動作させるための操作ボタン２１が配置されている。図３に示すように、足踏みペダル６は、ペダル受け台１５に組み込まれた扁平状の部材であり、その一端部が支軸１６を介してペダル受け台１５に軸着されている。ブラケット１１から導出されたワイヤ７と筒状ケーブル７Ａのうち、筒状ケーブル７Ａの端部はペダル受け台１５の上面に固定され、ワイヤ７の端部はペダル受け台１５の内部で足踏みペダル６の他端部に固定されている。図３では図示省略されているが、前述した操作ボタン２１は、台座部２ａの外表面における足踏みペダル６と対向する位置に配置されており、足踏みペダル６は操作ボタン２１を介して踏み込み動作されるようになっている。
【００２７】
また、足踏みペダル６の他端部とペダル受け台１５の底面との間にダンパー手段（例えばオイルダンパー）１７が介設されており、このダンパー手段１７で足踏みペダル６を強く踏み込んだ時の衝撃力を吸収することにより、消毒液が勢い良く噴霧されてしまうことが防止されている。なお、ダンパー手段１７の設置場所はペダル受け台１５の内部に限定されず、例えば、支柱２の内部に組み込んでワイヤ７の急激な動きを緩和したり、トレイ３上に設置して昇降ヘッド９や押圧体５の急激な押し込み動作を緩和したりするようにしても良い。
【００２８】
図４は、支持部材４に設けられた照明部１２の点滅回路の一例を示す説明図である。前述したように、照明部１２は足踏みペダル６の踏み込み操作に連動して点灯するようになっており、その点滅回路には、照明部１２の電源となる電池１８と、照明部１２をＯＮ／ＯＦＦに切り替えるスイッチ１９とが設けられている。電池１８は、ペダル受け台１５や支持部材４の内部に設置することが可能であるが、専用のバッテリーをボトル本体８に取り付けるようにしても良い。
【００２９】
スイッチ１９は、足踏みペダル６に連結されたワイヤ７の移動によって動作されるようになっている。図４に示すように、ワイヤ７として、ステンレスワイヤ７ａを絶縁チューブ７ｂで被覆し、この絶縁チューブ７ｂに銅線７ｃを巻回して外皮チューブ７ｄで覆った芯線タイプのものを使用した場合、ＬＥＤ等からなる照明部１２の両極をステンレスワイヤ７ａと銅線７ｃに接続し、ワイヤ７の動きをスイッチ１９で検知して照明部１２のＯＮ／ＯＦＦを行うようにすれば良い。このようにワイヤ７の移動によってスイッチ１９を動作させる構成の場合、ワイヤ７が通過する支持部材４と支柱２およびペダル受け台１５のいずれにもスイッチ１９を設置することができるため、設計上の自由度が向上する。
【００３０】
なお、スイッチ１９のＯＮ／ＯＦＦを足踏みペダル６が直接行うようにすることも可能であり、その場合、ペダル受け台１５の内部にマイクロスイッチからなるスイッチ１９を配設したり、支軸１６の近傍にロータリスイッチからなるスイッチ１９を配設したりし、これらスイッチ１９を足踏みペダル６の踏み込み操作によってＯＮ／ＯＦＦ動作させれば良い。
【００３１】
照明部１２は、支持部材４の外周面における任意箇所、例えば前面や側面に配設されており、照明部１２が点灯することよって、消毒液が噴霧されたことを使用者に視覚的に報知するようになっている。照明部１２は、ＬＥＤ等からなるチップ部品からの直接光であっても良いが、アクリル板や反射板を用いた面発光とすれば、レインボーカラーやグラデーション発光による点灯を行うことができる。
【００３２】
次に、上記のごとく構成された消毒液噴霧装置の使用形態について説明する。
【００３３】
本実施形態に係る消毒液噴霧装置は、ボトル本体８のサイズや昇降ヘッド９の形状等を異にする種々の消毒液容器１に対して適用可能であり、図１に示すように、トレイ３上に設置された一対の支持部材４の間に消毒液容器１を載置した状態で使用される。その際、押圧体５は昇降ヘッド９の真上に配置され、足踏みペダル６は台座部２ａの近傍の床面等に設置される。
【００３４】
消毒液噴霧装置の使用に際し、使用者が両手を噴射ノズル９ａの前に差し出した状態で操作ボタン２１を介して足踏みペダル６を踏み込むと、ワイヤ７を介して押圧体５に下向きの力が加わるため、押圧体５によって昇降ヘッド９が押し下げられる。昇降ヘッド９は下降しながら噴射ノズル９ａから消毒液を噴射するため、使用者の手指を消毒することができる。その際、操作ボタン２１を勢い良く踏み込んで足踏みペダル６が強い力で踏み込み動作されたとしても、その衝撃力がダンパー手段１７によって吸収されるため、消毒液が大量に噴射されてしまうことを抑制できる。
【００３５】
また、足踏みペダル６が踏み込まれると、足踏みペダル６に連結されたワイヤ７の移動に伴ってスイッチ１９がＯＮ動作するため、支持部材４に設けられたＬＥＤ等からなる照明部１２が点灯する。したがって、使用者は、消毒液の噴霧による手指の消毒と同時に、照明部１２の点灯による視覚的な面白さも体験することができ、特に、アクリル板や反射板を用いた面発光タイプの照明部１２とすれば、レインボーカラーやグラデーション発光によるインパクトのある点灯を行うことができる。
【００３６】
以上説明したように、第１実施形態に係る消毒液噴霧装置では、トレイ３上に設置された一対の支持部材４間に跨るように門形の押圧体５が昇降可能に支持されており、このトレイ３上に消毒液容器１を載置して昇降ヘッド９を押圧体５の真下に位置させた状態で、使用者が操作ボタン２１を介して足踏みペダル６を踏み込むと、押圧体５がワイヤ７に引っ張られて昇降ヘッド９を押し下げるため、昇降ヘッド９に直接手を触れることなく消毒液を噴霧することができる。その際、昇降ヘッド９はワイヤ７に引っ張られた門形の押圧体５によって押し下げられるため、消毒液容器１の外形サイズや昇降ヘッド９の形状等が相違する種々の消毒液容器１を使用しても、消毒液を正しく噴霧することができる。
【００３７】
また、トレイ３上の支持部材４から導出するワイヤ７を中空状の支柱２に挿通させることにより、押圧体５と足踏みペダル６を連結することができるため、わざわざ専用の台座部付きの支柱を製造しなくても、ベルト式パーテーション等として広く流通しているガイドポールを台座部２ａ付きの支柱２として活用することができ、その分、消毒液噴霧装置のトータルコストを低減することができる。なお、台座部付きの支柱としてガイドポール以外のものを使用することも可能であり、例えば、所定長さの中空パイプの一端部に台座部を後付けしたものでも良く、その場合、足踏みペダル６を台座部に一体的に組み込むことが容易になる。
【００３８】
また、第１実施形態に係る消毒液噴霧装置では、支持部材４から上方に突出する押圧体５の突出量が規定されていると共に、押圧体５がスプリング１４によって常時上方へ弾性付勢されているため、消毒液噴霧装置の非使用状態において、消毒液容器１の昇降ヘッド９を押圧体５の真下位置に容易に配置することができる。
【００３９】
また、第１実施形態に係る消毒液噴霧装置では、押圧体５として門形にフォーミングした中空パイプを使用し、この中空パイプにワイヤ７を挿通して支持部材４の外部に導出するようにしたので、押圧体５にワイヤ７を簡単かつ確実に連結することができる。ただし、押圧体５として門形にフォーミングした中実構造のシャフトを使用し、このシャフトの両端部にワイヤ７を固着するようにしても良い。
【００４０】
また、第１実施形態に係る消毒液噴霧装置では、支持部材４にＬＥＤ等からなる照明部１２が設けられており、足踏みペダル６の踏み込み操作に連動して照明部１２が点灯動作されるようになっているため、使用者は、消毒液が噴霧されたことを視覚的にも認識することができ、特に、面発光タイプの照明部１２を採用すると、レインボーカラーやグラデーション発光によるインパクトのある点灯を行うことができる。その際、照明部１２の点滅用スイッチ１９がワイヤ７の移動によって動作されるようになっているため、ワイヤ７が通過する支柱２やペダル受け台１５の内部にスイッチ１９を選択的に設置することができ、設計上の自由度が向上する。なお、ペダル受け台１５の内部にマイクロスイッチやロータリスイッチ等からなるスイッチ１９を配設し、このようなスイッチ１９のＯＮ／ＯＦＦを足踏みペダル６が直接行うようにしても良い。
【００４１】
また、第１実施形態に係る消毒液噴霧装置では、足踏みペダル６の踏み込み力を緩和するダンパー手段１７を備えており、足踏みペダル６を強く踏み込んだときの衝撃力がダンパー手段１７で吸収されるため、消毒液が勢い良く噴霧されてしまうことを防止できる。
【００４２】
なお、第１実施形態に係る消毒液噴霧装置において、足踏みペダル６を台座部２ａの外部に配置し、使用者が足踏みペダル６を直接踏み込むようにしても良い。また、ワイヤ７の途中に図示せぬコイルばねを介設し、足踏みペダル６を踏み込んだときに、該コイルばねの伸長動作を伴ってワイヤ７が押圧体５を押し下げるようにしても良い。このように構成すると、足踏みペダル６の踏み込み動作を解除したときに、コイルばねが元の長さに戻ろうとする復帰力を利用して押圧体５が初期位置に上昇するため、昇降ヘッド９の復帰用スプリングの弾性力が弱くても、押圧体５を確実に初期位置に戻すことができる。
【００４３】
図５は、第２実施形態に係る消毒液噴霧装置を示す斜視図であり、図１〜図４に対応する部分には同一符号を付してある。
【００４４】
図５に示すように、第２実施形態に係る消毒液噴霧装置では、トレイ３の中央部にアクリル板等からなる透明な仕切り板２０が立設されており、この仕切り板２０によって区画されたトレイ３上の２つの領域に、一対の支持部材４と押圧体５を１組とするユニットがそれぞれ設置されている。また、これら２つのユニットに対応するように、支柱２の台座部２ａに２つの足踏みペダル６が設置されており、対応する足踏みペダル６と押圧体５はそれぞれワイヤ７を介して連結されている。トレイ３上の２つの領域にはそれぞれ消毒液容器１が載置され、これら２つの消毒液容器１は、対応する足踏みペダル６によって個別に動作されるようになっている。
【００４５】
このように構成された消毒液噴霧装置を飲食店やオフィスの出入口等に設置する場合、例えば、図示左側の消毒液容器１が入口側の動線上に配置され、図示右側の消毒液容器１が出口側の動線上に配置される。これにより、入室する使用者は左側の足踏みペダル６を踏み込んで左側の消毒液容器１から消毒液を噴射することができ、退出する使用者は右側の足踏みペダル６を踏み込んで右側の消毒液容器１から消毒液を噴射することができる。その際、入室者と退出者が同時に消毒液噴霧装置を使用する場合であっても、両者の間に仕切り板２０が立設されているため、仕切り板２０によって飛沫感染を防止することができる。
【００４６】
以上説明したように、第２実施形態に係る消毒液噴霧装置では、トレイ３上に立設された仕切り板２０によって区画された２つの領域に、一対の支持部材４と押圧体５を１組とするユニットがそれぞれ搭載されていると共に、これら各ユニットに対応する２組のワイヤ７と足踏みペダル６を備えており、このようなトレイ３上の２つの領域にそれぞれ消毒液容器１が載置されるようになっているため、上述した第１実施形態に係る消毒液噴霧装置の作用効果に加えて、２つの消毒液容器１を入退出する使用者の動線上に振り分けて設置することができ、仕切り板２０によって飛沫感染を防止することもできる。
【００４７】
図６は、足踏みペダルの変形例を示す説明図である。図６に示すように、足踏みペダル３０は台座部２ａに上下動可能に支持されたロッド３０ａを有しており、該ロッド３０ａの下端部に動滑車３１が設けられている。また、台座部２ａの内部に２つの定滑車３２，３３が設けられており、台座部２ａの内部を固定端とするワイヤ７は、動滑車３１と２つの定滑車３２，３３を介して押圧体５に連結されている。
【００４８】
このように構成された足踏みペダル３０では、使用者が台座部２ａの表面に露出する足踏みペダル３０を踏み込み操作すると、ロッド３０ａの下端部に設けられた動滑車３１が、定滑車３２と固定端間に張られたワイヤ７を押し下げ、それに伴ってワイヤ７が足踏みペダル３０の踏み込み量の２倍移動する。したがって、足踏みペダル３０の少ない踏み込み量によってワイヤ７を大きく移動させることが可能となり、押圧体５を確実に押し下げ動作することができる。なお、ワイヤ７が巻き付けられる動滑車と定滑車の組み合わせは適宜選択可能であり、例えば動滑車を２個用いると、ワイヤ７を足踏みペダル３０の踏み込み量の４倍移動させることができる。
【００４９】
また、ワイヤ７の移動距離を増加させる機構を、台座部２ａ以外の支柱２やトレイ３に設けるようにしても良い。図７は、ワイヤ７の移動距離を増加させる機構４０を示す説明図であり、同図に示すように、該機構４０は、２つの動滑車４１，４２と１つの定滑車４３を有している。２つの動滑車４１，４２は連結部４４に支持されており、不図示の足踏みペダルに連結されたワイヤ７の端部が連結部４４に固定されている。また、押圧体５に連結されたワイヤ７の端部は機構４０の内部に固定されており、このワイヤ７は２つの動滑車４１，４２と定滑車４３に巻き付けられている。
【００５０】
このように構成された機構４０では、足踏みペダルの踏み込み操作に伴ってワイヤ７が移動すると、連結部４４が足踏みペダル３０の踏み込み量の４倍移動する。したがって、足踏みペダル３０の少ない踏み込み量によって連結部４４を大きく移動させることが可能となり、押圧体５を確実に押し下げ動作することができる。
【００５１】
なお、本考案は前述した各実施形態に限定されるものではなく、様々な変形態様が含まれる。例えば、前述した実施形態は、本考案を分りやすく説明するために説明したものであり、本考案は、必ずしも説明した全ての構成を備えるものに限定されるものではない。
【符号の説明】
【００５２】
１  消毒液容器
２  支柱
２ａ  台座部
２ｂ  スリット
３  トレイ
４  支持部材
４ａ  ガイド孔
５  押圧体
５ａ  摺動部
５ｂ  押圧部
５ｃ  ストッパ
６，３０  足踏みペダル
７  ワイヤ
７Ａ  筒状ケーブル
７ａ  ステンレスワイヤ
７ｂ  絶縁チューブ
７ｃ  銅線
７ｄ  外皮チューブ
８  ボトル本体
９  昇降ヘッド
９ａ  噴射ノズル
１０  キャップ
１１  ブラケット
１２  照明部
１３  係止リング
１４  スプリング
１５  ペダル受け台
１６  支軸
１７  ダンパー手段
１８  電池
１９  スイッチ
２０  仕切り板
２１  操作ボタン
【図１】
0003230192.tif 000003
【図２】
0003230192.tif 000004
【図３】
0003230192.tif 000005
【図４】
0003230192.tif 000006
【図５】
0003230192.tif 000007
【図６】
0003230192.tif 000008
【図７】
0003230192.tif 000009